(57)【要約】【課題】排水騒音が効果的に低減でき、上下方向の寸法が小さくできる排水システムの提供。【解決手段】ユニットバス２０から排出された排水を一時貯留する複数の小室１１ａおよび１１ｂと、スラブ５２を縦方向に貫通する排水立管９と、小室１１ａおよび１１ｂから排水立管９に所定の落差を以って接続されたサイフォン排水管４，５と、小室１１ａおよび１１ｂにおいてサイフォン排水管４，５が開口する開口高さよりも高い位置で貯留室１１を仕切る仕切り部材１２とを備える排水システム。【選択図】図２
2007146625.tif 000002
【特許請求の範囲】
【請求項１】
水周り機器から排出された排水を一時貯留する貯留室と、
前記貯留室から所定の落差を以って排水排出部に接続されるサイフォン排水管と
を備え、
前記貯留室は複数に区画され、区画された貯留室の夫々にサイフォン排水管が接続されてなるとともに、各貯留室を連通する連通流路を備えることを特徴とする排水システム。
【請求項２】
前記貯留室は、前記貯留室の側壁よりも高さの低い仕切り部材によって複数に区分されてなる請求項１に記載の排水システム。
【請求項３】
前記区画された貯留室は、夫々連通管路で連通されてなる請求項１に記載の排水システム。
【請求項４】
各サイフォン排水管は、前記サイフォン排水管から分岐して前記サイフォン排水管が接続された貯留室に連通する通気管を有し、前記通気管は、前記連通流路よりも低い高さに開口してなる請求項１〜３の何れか１項に記載の排水システム。
【請求項５】
水周り機器からの排水を導入する排水導入部は、前記区画された貯留室のうちの１つに接続されてなる請求項１〜４の何れか１項に記載の排水システム。
【請求項６】
前記区画された貯留室には夫々異なる水周り機器からの排水導入部が接続されてなる請求項１〜４の何れか１項に記載の排水システム。
【請求項７】
前記区画された貯留室の少なくとも１つに複数の排水導入部が接続されてなる請求項１〜４の何れか１項に記載の排水システム。
【請求項８】
前記貯留室は、排水導入部と前記サイフォン排水管とを接続する継手であって、前記排水導入部が接続される基体と、前記基体において前記サイフォン排水管が接続される接続部とを備え、前記基体内部は分離壁によって複数に区画されてなる継手である請求項１に記載の排水システム。
【請求項９】
前記継手の備える基体は有底筒状である請求項８に記載の排水システム。
【請求項１０】
前記継手において、接続部は、前記基体に同一の高さに設けられてなる請求項８または９に記載の排水システム。
【請求項１１】
前記基体を区分する分離壁は縦壁である請求項８〜１０の何れか１項に記載の排水システム。
【発明の詳細な説明】
【技術分野】
【０００１】
本発明は、排水システムに関し、特に、ユニットバス（浴室、浴槽）、キッチンユニット、洗濯機、洗面台などの水周り機器からの排水に用いられる所謂サイフォン型の排水システムに関する。
【背景技術】
【０００２】
近年、従来の勾配排水システムに代わって所謂サイフォン排水システムが提案されている。
【０００３】
サイフォン排水システムは、特許文献１および２に記載されるように、水周り機器とサイフォン管とで構成されており、サイフォン排水管における垂下部にて発生するサイフォン力（負圧力）を利用して水回り機器からの排水効率を向上させるシステムである。
【０００４】
前記排水システムにおいては、水周り機器から排出された排水はサイフォン排水管に流入し、サイフォン管の水平部および垂下部を満たす。
【０００５】
サイフォン排水管の垂下部が排水で満たされると、垂下部内の排水は重力により落下するから、水平部の内部に、垂下部における水頭差に対応する吸引力、即ちサイフォン力が発生する。水平部内の排水は、前記サイフォン力によって垂下部に向かって吸引され、サイフォン排水管内が排水で満たされる所謂満流流れとなってサイフォン排水管内を流下する。
【０００６】
しかしながら、ユニットバスやキッチンユニットのように一時に大量の排水が生じる水周り機器においては、サイフォン排水管が１本のサイフォン排水システムでは排水容量が足りない。そこで、２本またはそれ以上のサイフォン排水管を有するダブル配管システムが提案されている。
【０００７】
前記ダブル配管システムにおいては処理能力が水周り機器からの排水量を上回るので、排水中に、水周り機器からの排水が排出されるトラップから空気を吸い込み、トラップでズーズー音などの騒音が生じる。
【０００８】
そこで、このようなズーズー音を解消すべく、２本のサイフォン排水管を上下に配設し、上側のサイフォン排水管に、排水が排出される方向に下る勾配を附した排水システムが検討された。
【０００９】
前記排水システムによれば、排水が終わりに近づき、排水量が減少したときは、上側のサイフォン排水管から空気が吸い込まれる。したがって、トラップを通して空気が吸い込まれることがないから、トラップの騒音は解消された。
【００１０】
このような排水システムの例を図２３および図２４に示す。図２３に示すダブル配管システムは、５０Ａのチーズ１１２と５０Ａのエルボ１１３とが接続された継手部１１０を備える。継手部１１０のチーズ１１２には、キッチンユニットなどの水周り機器からの排水導入管１１１が接続され、更に、排水立管（図示せず。）に連通する１本目のサイフォン排水管１１４が接続されている。そして、エルボ１１３のチーズ１１２に接続された側とは反対側の末端には、２本目のサイフォン排水管１１５が接続されている。
【００１１】
ここで、サイフォン排水管１１４、１１５は通常は２０Ａの樹脂管であるから、５０Ａのチーズ１１２やエルボ１１３よりもずっと細い。そこで、チーズ１１２とサイフォン排水管１１４の間にはレデューサ（インクリーザ）１１６が挿入され、エルボ１１３とサイフォン排水管１１５との間には、２個のレデューサ１１６とその間に位置するパイプ１１７とからなる継手が挿入されている。
【００１２】
図２４に示すダブル配管システムは、水周り機器からの排水導入管１１１が接続される有底の筒状基体１２１と、筒状基体１２１の側面に立設され、サイフォン排水管１２４が接続される接続管１２２、およびサイフォン排水管１２５が接続される接続管１２３とを備える。接続管１２２および接続管１２３は、サイフォン排水管１２４およびサイフォン排水管１２５と同程度の内径を有する２０Ａ程度の細管であり、上下方向に配設されている。接続管１２２および接続管１２３の末端には、サイフォン排水管１２４およびサイフォン排水管１２５が挿入される大径部が形成され、大径部と接続管１２２および接続管１２３との境界には、夫々サイフォン排水管１２４およびサイフォン排水管１２５を突き当てるための段差１２２ａおよび段差１２３ａが形成されている。
【００１３】
溜め流し排水するときのように、水周り機器から一度に多量の排水が排出されると、図２３に示すダブル配管システムにおいては、先ず、チーズ１１２とエルボ１１３とで排水を受け、次いでサイフォン排水管１１４およびサイフォン排水管１１５を介して排水する。換言すれば、溜め流し排水の際は、サイフォン排水管１１４およびサイフォン排水管１１５共に満流でサイフォンを形成しつつ排水が流れ、これにより必要排水量が確保される。同様に、図２４に示すダブル配管システムにおいては、先ず、筒状基体１２１が排水を受け、次いでサイフォン排水管１２４およびサイフォン排水管１２５を介して排水する。
【００１４】
一方、連続排水時においては、排水開始直後は、溜め流し排水の場合と同様に下側のサイフォン排水管１１５または１２５だけでなく、上側のサイフォン排水管１１４または１２４も使用して排水を実施する。しかし、上側のサイフォン排水管１１４または１２４を使用するのは排水開始直後のみであり、直ぐに下側のサイフォン排水管１１５または１２５のみを通して排水が排出されるようになる。したがって、上側のサイフォン排水管１１４または１２４から空気が吸い込まれるから、水周り機器のトラップから空気が吸い込まれることが防止される。これにより、トラップから異音が生じることが防止される。
【特許文献１】特開２０００−２９７４４７号公報
【特許文献２】特開平６−４２０１９号公報
【発明の開示】
【発明が解決しようとする課題】
【００１５】
しかしながら、これらの排水システムにおいては、上側のサイフォン排水管１１４または１２４に下り勾配を付す必要がある。そして、上側のサイフォン排水管１１４または１２４に充分な大きさの下り勾配を付そうとすると、上側のサイフォン排水管１１４または１２４と下側のサイフォン排水管１１５または１２５との距離Ｓを大きくとる必要がある。したがって、通常のマンションなどの建造物における床とスラブとの間の空間に排水システムが収まらなくなる可能性がある。
【００１６】
本発明は、上記問題を解決すべく成されたもので、排水騒音が効果的に低減でき、また、上下方向の寸法が小さくできる排水システムの提供を目的とする。
【課題を解決するための手段】
【００１７】
請求項１に記載の発明は、水周り機器から排出された排水を一時貯留する貯留室と、前記貯留室から所定の落差を以って排水排出部に接続されるサイフォン排水管とを備え、前記貯留室は複数に区画され、区画された貯留室の夫々にサイフォン排水管が接続されてなるとともに、各貯留室を連通する連通流路を備えることを特徴とする排水システムに関する。
【００１８】
前記排水システムにおいては、水周り機器から排出された排水は、前記複数に区分された貯留室の１つに流入する。流入した排水は、前記貯留室に貯留されるとともに、前記貯留室に連通するサイフォン排水管に流入する。
【００１９】
前記一の貯留室に連通するサイフォン排水管（以下、「一のサイフォン排水管」ということがある。）が排水で満たされると、前記サイフォン排水管においては、垂下部内の排水は重力により落下するから、水平部の内部に、垂下部における水頭差に対応する吸引力、即ちサイフォン力が発生する。水平部内の排水は、前記サイフォン力によって垂下部に向かって吸引され、サイフォン排水管内が排水で満たされる所謂満流流れとなってサイフォン排水管内を排水立管に向かって流下する。サイフォン排水管内におけるサイフォン力の発生およびそれに引き続く満流流れの発生を、以下「サイフォン現象」という。
【００２０】
一方、前記一の貯留室と連通流路で連通した他の貯留室においては、前記一の貯留室から溢れた排水が連通流路を通って流入するが、流入した排水は、前記他の貯留室に連通するサイフォン排水管（以下、「他のサイフォン排水管」という。）から排出される。
【００２１】
したがって、連続的にサイフォン現象が生じるのは前記一のサイフォン排水管のみである。そして、前記他のサイフォン排水管においては、前記一の貯留室から溢れた排水が排出されるだけであり、その量は、前記一の貯留室に流入する排水の量に比較して圧倒的に小さい。したがって、前記他のサイフォン排水管においてはサイフォン現象が生じることは殆どなく、他の貯留室内の空気が前記他のサイフォン排水管を通して排水排出部に流入する。これにより、前記一のサイフォン排水管におけるサイフォン力が緩和されるから、前記一のサイフォン排水管において排水に空気が巻き込まれて排水騒音が生じることが防止される。
【００２２】
また、水周り機器から排出される排水の流量に対して前記一の貯留室の容量を充分小さく設定すれば、排水が貯留室に流入してから前記一のサイフォン排水管においてサイフォン現象が生じるまでの時間を短縮できる。
【００２３】
ここで、前記排水導入部としては、キッチンユニットの排水が排出されるトラップや、ユニットバスからの排水が排出される雑排水管、洗濯機からの排水を導入する床トラップなどが挙げられる。
【００２４】
また、前記サイフォン排水管は、前記貯留室から所定の落差を以って排水排出部に接続されている。前記サイフォン排水管は、たとえば、前記貯留室からスラブに沿って配設され、途中から排水排出部に向かって垂下させることができるが、この形態には限定されない。したがって、サイフォン排水管には、途中に上り勾配や下り勾配が設けられていてもよいし、スラブ上に梁がある場合は、前記梁を跨ぎ越すように上下に屈曲されていてもよい。
【００２５】
ここで、排水排出部は、前記サイフォン排水管を通して排水が排出される排出先であり、具体的には、スラブを貫通して設けられた排水立管のほか、各水周り機器から排出された排水を一時貯留する排水貯留桝、および下水道などがある。したがって、前記サイフォン排水管は、排水立管に接続されていてもよく、排水貯留桝に接続されていてもよく、また、下水道に直接接続されていてもよい。
【００２６】
請求項２に記載の発明は、前記貯留室が、前記貯留室の側壁よりも高さの低い仕切り部材によって複数に区分されてなる請求項１に記載の排水システムに関する。
【００２７】
上述のように水周り機器には流しだけでなく、浴室も含まれるが、浴室やユニットバスからは毛髪や糸くずなどが排出される場合が多い。
【００２８】
ここで、貯留室内に仕切りがない場合には、貯留室に接続された全てのサイフォン排水管においてサイフォン現象が生じるので、浴室から貯留室に流れ込んだ毛髪や糸くずは、複数のサイフォン排水管で同時に吸引される。したがって、毛髪や糸くずによるサイフォン排水管の詰まりが生じやすい。
【００２９】
これに対して、前記排水システムにおいては、貯留室は仕切り部材で２以上の貯水区画に仕切られているから、浴室から排水が流入する貯水区画に接続されたサイフォン排水管においてしかサイフォン現象が生じないから、浴室内の毛髪や糸くずは、前記貯水区画に流れ込み、前記サイフォン排水管に吸引されて排水立管に向かって勢い良く流れていく。したがって毛髪や糸くずの詰まりが生じにくい。
【００３０】
このように、前記排水システムは、請求項１に記載の排水システムの有する特長に加えて毛髪などの塵を含む排水を流した場合においても、詰まりが生じにくいという特長を有する。
【００３１】
請求項３に記載の発明は、  前記区画された貯留室は、夫々連通管路で連通されてなる請求項１に記載の排水システムに関する。
【００３２】
近年、浴室としてはユニットバスが広く使用されているが、ユニットバスの床面とスラブとの間の空間は必ずしも充分ではないので、前記空間に大きな貯留室を設けることが困難な場合がある。
【００３３】
前記排水システムにおいては、複数の貯留室を連通管路で連通しているか、または高さの低い貯留室を側壁と同一の高さの壁で複数に区画し。各区画を連通管路で連通している。したがって、ユニットバスの床面とスラブとの間の空間が必ずしも充分ではない場合においても貯水容量を確保できるから、ユニットバスの浴槽から排水する場合のように、一時に大量の排水が排出される場合においても、排出された排水が溢れることがない。
【００３４】
請求項４に記載の発明は、前記サイフォン排水管から分岐して前記サイフォン排水管が接続された貯留室に連通する通気管を有し、前記通気管は、前記連通流路よりも低い高さに開口してなる請求項１〜３の何れか１項に記載の排水システムに関する。
【００３５】
前記排水システムにおいては、貯留室の水位が高いときは、通気管の開口部が水面下に没し、サイフォン排水管においては排水は満流流れで排出される。したがって、排水音を殆ど生じさせることなく、排水を高速で処理できる。そして、貯留室の水位が低下して水面が通気管の開口部の下方に位置するようになると、通気管から空気が吸引されてサイフォン排水管内のサイフォン力が低減されるから、排水と空気とを同時に吸引することによる排水音の発生を特に効果的に低減できる。
【００３６】
請求項５に記載の発明は、水周り機器からの排水を導入する排水導入部は、前記区画された貯留室のうちの１つに接続されてなる請求項１〜４の何れか１項に記載の排水システムに関する。
【００３７】
前記排水システムにおいては、前記排水導入部が接続された一の貯留室の水位が上がると、前記一の貯留室に連通するサイフォン排水管においてサイフォン現象が生じる。したがって、水周り機器から排水が排出されてからサイフォン排水管においてサイフォン現象が生じるまでの時間を大幅に短縮できる。
【００３８】
請求項６に記載の発明は、前記区画された貯留室に夫々異なる水周り機器からの排水導入部が接続されてなる請求項１〜４の何れか１項に記載の排水システムに関する。
【００３９】
前記排水システムにおいては、たとえば前記区画された貯留室のうちの第１の貯留室には浴室からの雑排水管が接続され、前記第１の貯留室に隣接する第２の貯留室にはキッチンユニットからのトラップが接続されているというように、前記区画された貯留室には、夫々異なる水周り機器からの排水導入部が接続されている。
【００４０】
異なる水回り機器を使用することにより、第１の貯留室と第二の貯留室とに別個に排水が排出されるから、各サイフォン排水管は、ほぼ同一の頻度で使用される。したがって、サイフォン排水管内を清浄に保つことができる。
【００４１】
請求項７に記載の発明は、前記区画された貯留室の少なくとも１つに複数の排水導入部が接続されてなる請求項１〜４の何れか１項に記載の排水システムに関する。
【００４２】
１つの貯留室に複数の排水導入部を接続することにより、排水導入部を各貯留室に接続するのに比較して貯留室の数を減らすことができる。
【００４３】
請求項９に記載の発明は、前記貯留室は、前記排水導入部と前記サイフォン排水管とを接続する継手であって、前記排水導入部が接続される基体と、前記基体において前記サイフォン排水管が接続される接続部とを備え、前記基体内部は分離壁によって複数に区画されてなる継手である請求項１に記載の排水システムに関する。
【００４４】
前記排水システムは、インクリーザやレデューサを多用することなく構成できるから、漏水が発生する可能性を大幅に低減できる。また、サイフォン排水管を接続する位置が低くできるから、排水システム全体としても床下への納まりがよい。更に、サイフォン排水管に勾配を付けて配管する必要がないから、配管も簡便になり、施工性が向上する。
【００４５】
加えて、継手に塵が詰まった場合には、継手の基体の蓋を外すか、または排水導入部からの接続を外すかして基体内部の塵を容易に除去できる。したがって、前記排水システムは、キッチンユニットなど、排水とともに生塵が排出されることの多い水周り機器に好適に使用できる。
【００４６】
更に加えて、前記排水システムにおいては、排水用継手の基体の内部に、サイフォン排水管が接続される部分を分離するように上部が開放された分離壁で複数の室に分離されているから、水周り機器からの排水は、基本的に最初は一方の室のみに流れ込む。そして、この室に接続されているサイフォン排水管においてサイフォン現象が発生する。このため、連続排水時はもう片方の室に接続されたサイフォン排水管は殆ど空の状態であるから、サイフォン排水管に過大なサイフォン力が生じ、排水導入部に設けられたトラップで封水切れや排水騒音が生じることが防止される。
【００４７】
一方、溜め流し排水の際は、前記排水用継手においては、一の室に連通するサイフォン排水管では処理能力不足のため、排水は内部の分離壁を乗り越えて前記一の室に隣接する他の室にも溜り、前記他の室に連通したサイフォン排水管からもサイフォン排水される。したがって、前記排水システムは、溜め流し排水の際にも処理能力が不足することがない。
【００４８】
請求項９に記載の発明は、前記継手の備える基体が有底筒状である請求項８に記載の排水システムに関する。
【００４９】
前記排水システムにおいては、排水導入部およびサイフォン排水管よりも直径の大きな円筒の両端開口部を底板と天板とで覆蓋するとともに、サイフォン排水管が接続される接続部を前記円筒の側面に複数設け、更に、内部を分離壁で複数の室に区分することにより、継手を形成できる。したがって、継手の構成が簡略化できる。
【００５０】
請求項１０に記載の発明は、前記継手において、前記接続部が、前記基体に同一の高さに設けられてなる請求項８または９に記載の排水システムに関する。
【００５１】
前記排水システムの継手においては、接続部は、基体に同じ高さに設けられているから、サイフォン排水管の接続位置を何れも低くできる。したがって、床とスラブとの間隔が狭い場合においても配管が容易である。
【００５２】
請求項１１に記載の発明は、前記基体を区分する分離壁は縦壁である請求項８〜１０の何れか１項に記載の排水システムに関する。
【００５３】
前記排水システムは、継手の全ての接続部を基体の底部近傍に設けることができるから、床とスラブとの間隔が狭い場合においても配管が容易である。
【００５４】
本発明は、更に、水周り機器からの排水を排出する排水導入部と、排水導入部から排出された排水を一時貯留する貯留室と、前記貯留室から、前記水周り機器が設置された排水階床を縦方向に貫通する排水立管へ伸びるサイフォン排水管とを備え、前記サイフォン排水管は、所定位置から落差を以って排水立管に連結されてなる排水システムにおいて、前記排水導入部と前記サイフォン排水管とを接続する排水用継手であって、前記排水導入部が接続される基体と、前記基体において前記サイフォン排水管が接続される接続部とを備え、前記基体内部は分離壁によって複数に区画されてなる排水用継手を包含する。
【００５５】
請求項８のところで説明したように、前記排水用継手は、インクリーザやレデューサを多用することなく構成できるから、漏水が発生する可能性を大幅に低減できる。また、サイフォン排水管の接続位置を低くできるから、床下への納まりもよい。更に、サイフォン排水管に勾配を付けて配管する必要がないから、配管も簡便になり、施工性が向上する。
【００５６】
加えて、前記排水用継手においては、塵が詰まった場合には、基体が開閉可能な蓋部を有しているときは前記蓋部を外し、そうでない場合は、排水導入部との間の接続を外して内部の塵を容易に除去できる。したがって、前記排水用継手は、キッチンユニットなど、排水とともに生塵が排出されることの多い水周り機器用の排水システム用の継手として好適である。
【００５７】
また、前記排水用継手においては、サイフォン排水管が接続される部分を分離するように、基体の内部に分離壁が設けられ、分離壁の上部が開放されるか、または分離壁の上部に開口部が設けられるかして各室が連通している。したがって、水周り機器からの排水は、基本的に最初は一方の室のみに流れ込む。そして、この室に接続されているサイフォン排水管においてサイフォン現象が発生する。このため、連続排水時はもう片方の室に接続されたサイフォン排水管は殆ど空の状態であるから、サイフォン排水管に過大なサイフォン力が生じてトラップの封水切れや排水騒音が生じることが防止される。
【００５８】
一方、溜め流し排水の際は、前記一の室に連通するサイフォン排水管では処理能力不足のため、排水は内部の分離壁を乗り越えて前記一の室に隣接する他の室にも溜り、前記他の室に連通したサイフォン排水管からも排水される。したがって、溜め流し排水の際にも処理能力が不足することがない。
【発明の効果】
【００５９】
以上説明したように本発明によれば、排水時に顕著な騒音が生じるのを効果的に防止でき、また、上下方向の寸法が小さくでき、マンションなどの床下に容易に配設できる排水システムが提供される。
【発明を実施するための最良の形態】
【００６０】
１．実施形態１
次に、本発明の排水システムの一例について説明する。
【００６１】
図１に示すように、実施形態１に係る排水システム１００は、スラブ５２を貫通して垂直方向に延在する排水立管９と、スラブ５２とともに排水階床を構成する床面６上に載置されたユニットバス２０からの排水が排出される雑排水管７と、雑排水管７に排出された排水を排水立管９に導入するサイフォン排水管４およびサイフォン排水管５と、サイフォン排水管４およびサイフォン排水管５と雑排水管７とを接続するチャンバ１１とを備える。雑排水管７およびチャンバ１１は、夫々本発明における排水導入部および貯留室に相当する。
【００６２】
サイフォン排水管４およびサイフォン排水管５は、スラブ５２に沿って排水立管９に向かって延在する水平部４Ａおよび水平部５Ａと、前記水平部４Ａおよび水平部５Ａに連通するとともに、排水立管９に沿って垂下する垂下部４Ｂおよび垂下部５Ｂとを備えている。垂下部４Ｂおよび垂下部５Ｂの末端は、排水立管９のスラブ５２よりも下方に設けられ、下方に向かって縮小する円錐状の形態を有する合流部継手９Ａにおいて排水立管９に合流する。雑排水管７の入り口部にはトラップ７Ａが設けられている。
【００６３】
排水システム１００は、図２および図４において（Ａ）に示すように、チャンバ１１の内部が仕切り部材１２で２つの小室１１ａおよび小室１１ｂに区分されていてもよく、同図において（Ｂ）に示すように、チャンバ１１Ａおよびチャンバ１１Ｂの２個のチャンバを設け、チャンバ１１Ａとチャンバ１１Ｂとを天井部近傍において連通管１３で連通してもよい。以下、前者の態様の排水システムを「態様Ａ」と称し、後者の態様の排水システムを「態様Ｂ」と称する。態様Ａおよび態様Ｂの排水システムにおいて、チャンバ１１、チャンバ１１Ａ、チャンバ１１Ｂは、何れも着脱可能な天井板を有しているが、図２以下においては、これらのチャンバの内部構造を示すために天井板は省略されている。
【００６４】
態様Ａの排水システムにおいては、仕切り部材１２は、チャンバ１１の側壁よりも高さの低い仕切り壁である。したがって、チャンバ１１の天井面と仕切り部材１２との間には隙間がある。この隙間は、本発明の連通流路に相当する。また態様Ａにおける小室１１ａおよび小室１１ｂと、態様Ｂにおけるチャンバ１１Ａおよびチャンバ１１Ｂはと、本発明の貯留室に相当し、中でも小室１１ａおよび小室１１ｂは、貯水区画に相当する。また、態様Ｂにおける連通管１３も本発明の連通流路に相当する。
【００６５】
態様Ａの排水システムにおいては、小室１１ａには、雑排水管７０およびサイフォン排水管４が接続され、小室１１ｂには、サイフォン排水管５が接続されている。一方、態様Ｂの排水システムにおいては、雑排水管７０およびサイフォン排水管４はチャンバ１１Ａに、サイフォン排水管５はチャンバ１１Ｂに接続されている。なお、サイフォン排水管４およびサイフォン排水管５は、夫々水平部４Ａおよび水平部５Ａにおいてチャンバ１１、チャンバ１１Ａ、またはチャンバ１１Ｂに接続されている。なお、本実施形態においては、小室１１ａと小室１１ｂ、およびチャンバ１１Ａとチャンバ１１Ｂとは同一の容積を有しているが、雑排水管７が接続される側の小室１１ａおよびチャンバ１１Ａを、雑排水管７が接続されない側の小室１１ｂおよびチャンバ１１Ｂよりも容積が小さくなるように構成すれば、小室１１ａおよびチャンバ１１Ａが雑排水管７からの排水で満水になるまでの時間を短縮できるから、より短時間でサイフォン排水管４においてサイフォン現象が生じ、排水流量を立ち上げることができる。逆に、小室１１ａおよびチャンバ１１Ａの容積を小室１１ｂおよびチャンバ１１Ｂよりも大きくすれば、小室１１ａおよびチャンバ１１Ａだけでなく、反対側の小室１１ｂおよびチャンバ１１Ｂにおいてもサイフォン効果を生じさせることができるから、サイホン排水管４およびサイホン排水管５においては、自浄作用により内部を清浄な状態に保持できる。
【００６６】
態様Ａの排水システムにおいては、図３において（Ａ）に示すように、サイフォン排水管４の水平部４Ａから通気管１４を分岐させて小室１１ａに連通させ、サイフォン排水管５の水平部５Ａから通気管１５を分岐させて小室１１ｂに連通させてもよい。また、態様Ｂの排水システムにおいても、図３において（Ｂ）に示すように、サイフォン排水管４の水平部４Ａから通気管１４を分岐させてチャンバ１１Ａに連通させ、サイフォン排水管５の水平部５Ａから通気管１５を分岐させてチャンバ１１Ｂに連通させてもよい。なお、通気管１４および通気管１５を設けた態様においては、図５において（Ｃ）に示すように、通気管１４および通気管１５の開口位置は、仕切り部材１２の上縁よりも低いことが好ましい。
【００６７】
更に、態様Ａの排水システムにおいては、図４において（Ｂ）に示すように、ユニットバス２０以外の水周り機器、たとえばキッチンユニット（図示せず。）のトラップ７０や洗濯機からの洗濯排水を排出する床トラップ（図示せず。）などを小室１１ｂに接続して、前記キッチンユニットや洗濯機などのユニットバス２０以外の水周り機器からの排水が小室１１ｂに導入されるようにしてもよい。加えて、図４において（Ｃ）に示すように、ユニットバス２０からの太い雑排水管７を小室１１ａに、洗面台などの排水量の少ない水周り機器からの細い排水管７２を小室１１ｂに接続してもよい。
【００６８】
更に、態様Ａにおいて通気管１４および通気管１５を設けた態様の排水システムにおいても、図５に示すように、ユニットバス２０の雑排水管７を小室１１ａに、キッチンユニットのトラップ７０を小室１１ｂに接続してもよい。なお、図５において（Ａ）は前記態様の排水システムにおけるチャンバ１１およびその近傍の構成を示し、（Ｂ）はチャンバ１１およびその近傍を（ア）の方向から、（Ｃ）は（イ）の方向から、（Ｄ）は（ウ）の方向から見たところを示す。
【００６９】
以下、図５に示す態様の排水システムを例にとって排水システム１００の作用について説明する。なお、図６〜図１０においては、サイフォン排水管４およびサイフォン排水管５が互いに反対方向に延在しているように描かれているが、これは、説明の便のためであって、実際にはサイフォン排水管４とサイフォン排水管５とは互いに平行に延在している。
【００７０】
図６において（Ａ）に示すように、ユニットバス２０から排出された排水は、雑排水管７を通ってチャンバ１１の小室１１ａに導入される。そして、小室１１ａに導入される排水によってサイフォン排水管４も満たされる。
【００７１】
小室１１ａおよびサイフォン排水管４が排水で満たされると、図６の（Ｂ）に示すように、サイフォン排水管４においてサイフォン現象が生じて小室１１ａの排水が急速に排出されると同時に、小室１１ａから溢れ出た排水が仕切り部材１２を越えて小室１１ｂに導入される。小室１１ｂに導入された排水は、図７の（Ｃ）に示すように、サイフォン排水管５を通して直ちに排出される。
また、通気管１４の開口部が水面下にある間は、サイフォン排水管４においても排水は満流流れで流れる。また、サイフォン排水管５から排水立管９に空気が挿入されるから、サイフォン排水管４において満流流れが生じている間もサイフォン排水管４内に過剰なサイフォン力が生じることがないから、排水騒音の発生が防止される。
【００７２】
サイフォン排水管４からの排水が進行して小室１１ａ内の水面が通気管１４の開口部よりも下方になると、図７の（Ｄ）に示すように、通気管１４からサイフォン排水管４に空気が導入され始める。そして、図８において（Ｅ）に示すように、通気管１４から導入された空気がサイフォン排水管４に達すると、サイフォン排水管４内の流れは、排水と空気とが混合した混合流れになる。
【００７３】
これを図示すると、図１２の（Ｂ）において一点鎖線で示すように、サイフォン排水管４においては、排水流量が急速に立ち上がり、暫く最大流量で排水が流れたあと、雑排水管７からの排水の流入量が減少するのに応じて徐々に排水流量が減少する。一方、サイフォン排水管５においては、二点鎖線で示すように、サイフォン排水管４における排水流量がピークに達したときに、若干の排水流量が見られるが、サイフォン排水管４における排水流量がピークを過ぎると、サイフォン排水管５からの排水量は殆どゼロになる。
【００７４】
このように排水システム１００においては排水流量が振動することがないから、排水騒音の発生も防止される。
【００７５】
また、排水の排出が進行して通気管１４の開口部が水面上に露出すると、通気管１４から導入された空気によってサイフォン力が低減されるから、排水終了間際においてサイフォン排水管４内部の流れが穏やかになる。したがって排水終了間際に空気と排水とがサイフォン排水管４に急激に吸引されることによる排水騒音の発生も防止される。
【００７６】
更に、小室１１ａとサイフォン排水管４とが排水で満たされた時点でサイフォン排水管４内でサイフォン現象が生じるから、図１２において（Ｂ）に示すように、雑排水管７から排水が導入されてから排水流量が立ち上がるまでの時間が大幅に短縮される。
【００７７】
これに対して、チャンバ１１内に仕切り部材１２を有しない排水システムにおいては、図９において（Ａ）に示すように、雑排水管７からチャンバ１１に排水が導入されると、図９において（Ｂ）に示すように、サイフォン排水管４およびサイフォン排水管５の両方においてサイフォン現象が生じる。そして、排水が進行して水面が低下しても、通気管１５と通気管１４とが同時に水面上に露出するとは限らず、たとえば通気管１４が先に水面上に露出したり、図１０において（Ｃ）に示すように通気管１５が先に水面上に露出したりする。たとえば通気管１５が先に露出すると、通気管１５からサイフォン排水管５に空気が導入されてサイフォン排水管５内部で排水と空気とが入り混じり、図１２の（Ａ）において二点鎖線で示すように、排水が断続的に排出されるとともに、排水と空気とが混ざり合う音が通気管１５を通して外部に聞こえる。また、同図の（Ａ）において一点鎖線で示すように、サイフォン排水管４においても排水流量が顕著に振動し、これも排水騒音の原因になる。
【００７８】
さらに、ユニットバス２０や浴室からは排水に混じって毛髪や糸くずが排出されることが多いが、図１１において（Ａ）に示すように、排水システム１００においては、排水中の毛髪や糸くずは雑排水管７を通って小室１１ｂに流れ込み、そのままサイフォン排水管４に排出される。したがってサイフォン排水管４およびサイフォン排水管５において詰まりが生じ難い。
【００７９】
それに対し、チャンバ１１に仕切り部材１２を設けない場合は、同図において（Ｂ）に示すように、サイフォン排水管４およびサイフォン排水管５の両方から毛髪や糸くずが吸引されてサイフォン排水管４およびサイフォン排水管５の入り口部を跨ぐように引っ掛かりやすい。したがって、サイフォン排水管４およびサイフォン排水管５において詰まりが生じ易い。
【００８０】
２．実施形態２
以下、本発明の排水システムの別の例について説明する。図１３において図１と同一の符号は、前記符号が図１において示すのと同一の構成要素を示す。
【００８１】
図１３に示すように、実施形態２に係る排水システム１０２は、スラブ５２とともに排水階床を構成する床面６上に載置されたキッチンユニット２２から排出される排水を処理するためのものであり、キッチンユニット２２から排水を排出するトラップ７０とサイフォン排水管４およびサイフォン排水管５とを接続するのに、実施形態１に係るチャンバ１１に代えて継手３０を用いた点で、実施形態１に係る排水システム１００とは異なる。なお、トラップ７０は、本発明の排水システムにおける排水導入部に相当する。
【００８２】
継手３０は、図１４〜図１６に示すように、本発明における基体に相当する基体３１と、本発明の接続部に相当し、基体３１の側面に立設された管体３２および管体３３とを備える。管体３２および管体３３は、何れも本発明における接続部に相当する。基体３１は有底円筒状であって底部３１ａを有し、底部３１ａの外側には、フランジ３１ｂが半径方向に沿って外側に延在している。実施形態１においては、管体３２および管体３３は同一の高さに設けられているが、異なる高さに設けられていてもよい。
【００８３】
管体３２にはサイフォン排水管４が、管体３３にはサイフォン排水管５が接続される。管体３２、管体３３は２０Ａ相当とするのが好ましく、夫々に段差３２ａ、３３ａが形成されている。管体３２および管体３３にサイフォン排水管４およびサイフォン排水管５を接続するときは、管体３２にサイフォン排水管４を、管体３３にサイフォン排水管５を差し込み、サイフォン排水管４の先端を段差３２ａに、サイフォン排水管５の先端を段差３３ａに突き当てて接着剤で接着することにより、水密に接続される。なお、フランジ３１ｂにビス穴３１ｃ等を穿孔しておき、床面６への固定も容易にできるようにするのが良い。なお、管体３２および管体３３は、必ずしも平行でなくてもよく、図１８および図１９に別方向を向いて設置されていても良いことは言うまでもない。
【００８４】
基体３１は、基体３１よりも背丈の低い縦分離壁３８にて二つの室３１Ａ、３１Ｂに区分され、この二つの室３１Ａ、１Ｂは縦分離壁３８の頂部が解放されて互いに連通している。そして、管体３２は室３１Ａに、管体３３は室３１Ｂに連通している。したがって縦分離壁３８は、本発明における仕切り部材に相当し、室３１Ａおよび室３１Ｂは、何れも貯留室に相当する。
【００８５】
縦分離壁３８は、図１４〜図１６に示すように、基体３１の内部を均等に二分するように基体３１の内部中央に立設してもよく、図５に示すように、室３１Ａの容量が室３１Ｂよりも大きくなるように基体３１の一方に寄せて立設してもよい。また、図１８および図１９に示すように、縦分離壁３８は半筒状をなして室３１Ｂを区画し、室３１Ａ側の容量が大きくなるようにしてもよく、図２０に示すように、筒状をなして室３１Ｂと室３１Ａとを区画するようにしてもよい。
【００８６】
また、本発明の基体３１の形状は円筒状のものに限定されないことは勿論であり、図２１に示すように直方体状であっても良い。また、図２２に示すように、直方体の上に円筒体３１ｄを重ねた形態であってもよい。直方体の上に円筒体３１ｄを重ねることにより、例えばトラップ７０の径が５０Ａであるときにトラップ７０との接続がより容易になる。なお、図２１および図２２に示す例においては、縦分離壁３８は、図１８および図１９に示す縦分離壁３８と同様の形態を有している。
【００８７】
これらの例においては、トラップ７０の末端は、室３１Ａの上方に位置するように配設されている。
【００８８】
以下、排水システム１０２の作用について説明する。
【００８９】
排水システム１０２においてキッチンユニット２２から排出された排水は、トラップ７０を通って継手３０に向かう。そして、トラップ７０から導入された排水は、先ず、室３１Ａのみに流れ込む。そして、室３１Ａに接続されている管体３２を通してサイフォン排水管４に排水が流れ込む。サイフォン排水管４が排水で満たされると、サイフォン現象が発生し、連続的に排水される。
【００９０】
連続排水の際は基本的に室３１Ｂには水がなく、従って、管体３３およびサイフォン排水管５は基本的に空になっているため、トラップ７０から空気を吸うことがないので、排水騒音が低減される。また、トラップ７０に過剰なサイフォン力がかからないので、トラップ７０において封水切れが生じることが防止される。
【００９１】
一方、溜め流し排水の際は、室３１Ａのみでは処理能力が不足するので、排水は縦分離壁３８の頂部を乗り越えて他方の室３１Ｂ内にまで排水が溜る。したがって、サイフォン排水管４およびサイフォン排水管５の２本でサイフォン現象が生じ、連続的に排水される。
【００９２】
実施形態２に係る継手３０においては管体３２および管体３３が同一の高さで、しかも底部３１ａの近傍に立設されている。またサイフォン排水管４およびサイフォン排水管５の何れも無勾配で配置できる。したがって、床面６とスラブ５２との空間が狭い場合でも、容易に設置でき、しかも設置作業に手間がかからないという特徴を有している。
【産業上の利用可能性】
【００９３】
本発明の排水システムは、キッチンユニットおよびユニットバス以外に、洗濯機、洗面台などの水周り機器から排出される排水に好適に適用できる。
【図面の簡単な説明】
【００９４】
【図１】図１は、実施形態１に係る排水システムの全体的な構成を示す断面図である。
【図２】図２は、実施形態１に係る排水システムにおけるチャンバ近傍の構成の一例を示す斜視図である。
【図３】図３は、実施形態１に係る排水システムにおけるチャンバ近傍の構成の別の例を示す斜視図である。
【図４】図４は、実施形態１に係る排水システムにおけるチャンバ近傍の構成の更に別の例を示す平面図である。
【図５】図５は、実施形態１に係る排水システムにおけるチャンバ近傍の構成の更に別の例を示す斜視図および三面図である。
【図６】図６は、実施形態１に係る排水システムの作用を示す説明図である。
【図７】図７は、実施形態１に係る排水システムの作用を示す説明図である。
【図８】図８は、実施形態１に係る排水システムの作用を示す説明図である。
【図９】図９は、従来の排水システムの作用を示す説明図である。
【図１０】図１０は、従来の排水システムの作用を示す説明図である。
【図１１】図１１は、実施形態１および従来の排水システムに毛髪が流入したときの様子を示す説明図である。
【図１２】図１２は、実施形態１および従来の排水システムにおけるサイフォン排水管の排水流量の時間変化を示すグラフである。
【図１３】図１３は、実施形態２に係る排水システムの全体的な構成を示す断面図である。
【図１４】図１４は、実施形態２の排水システムに使用される排水用継手の正面図である。
【図１５】図１５は、実施形態２の排水システムに使用される排水用継手の平面図である。
【図１６】図１６は、実施形態２の排水システムに使用される排水用継手の一部切断側面図である。
【図１７】図１７は、実施形態２の排水システムに使用される排水用継手の別の例を示す一部切断側面図である。
【図１８】図１８は、実施形態２の排水システムに使用される排水用継手の更に別の例を示す透視図である。
【図１９】図１９は、図１８に示す排水用継手の平面図である。
【図２０】図２０は、実施形態２の排水システムに使用される排水用継手の更に別の例を示す透視図である。
【図２１】図２１は、実施形態２の排水システムに使用される排水用継手の更に別の例を示す斜視図である。
【図２２】図２２は、実施形態２の排水システムに使用される排水用継手の更に別の例を示す斜視図である。
【図２３】図２３は、既存の部材を接続して排水用継手を構成した例を示す側面図である。
【図２４】図２４は、従来提案された排水用継手の例を示す側面図である。
【符号の説明】
【００９５】
４    サイフォン排水管
４Ａ        水平部
４Ｂ        垂下部
５    サイフォン排水管
５Ａ  水平部
５Ｂ  垂下部
６    床面
７    雑排水管
７Ａ  トラップ
９    排水立管
９Ａ  合流部継手
１１  チャンバ
１１Ａ  チャンバ
１１Ｂ  チャンバ
１２    仕切り部材
１３    連通管
１４    通気管
１５    通気管
２０  ユニットバス
２２  キッチンユニット
３０  継手
３１  基体
３１Ａ        室
３１Ｂ        室
３２  管体
３３  管体
３８  縦分離壁
５２  スラブ
７０  トラップ
７２  排水管
１００  排水システム
１０２        排水システム
【図１】
2007146625.tif 000003
【図２】
2007146625.tif 000004
【図３】
2007146625.tif 000005
【図４】
2007146625.tif 000006
【図５】
2007146625.tif 000007
【図６】
2007146625.tif 000008
【図７】
2007146625.tif 000009
【図８】
2007146625.tif 000010
【図９】
2007146625.tif 000011
【図１０】
2007146625.tif 000012
【図１１】
2007146625.tif 000013
【図１２】
2007146625.tif 000014
【図１３】
2007146625.tif 000015
【図１４】
2007146625.tif 000016
【図１５】
2007146625.tif 000017
【図１６】
2007146625.tif 000018
【図１７】
2007146625.tif 000019
【図１８】
2007146625.tif 000020
【図１９】
2007146625.tif 000021
【図２０】
2007146625.tif 000022
【図２１】
2007146625.tif 000023
【図２２】
2007146625.tif 000024
【図２３】
2007146625.tif 000025
【図２４】
2007146625.tif 000026